(57)【要約】【課題】  ダンパーでの応力の分散設計と、スピーカーでの共振周波数の最適設計を両立させて、支持アームの特定箇所に応力が集中して破断することがないダンパーを提供する。【解決手段】  本発明のスピーカー用ダンパーは、複数の支持アームのアーム部が、一方端が外周連結部と連結する外周側主アーム部と、一方端が内周連結部と連結する内周側主アーム部と、外周側主アーム部および内周側主アーム部のそれぞれ他方端を連結する主アーム連結部と、を有し、かつ、外周側主アーム部および内周側主アーム部の中心線を規定する第１円弧の中心位置ａ１が主アーム連結部より内周可動部の側に位置し、主アーム連結部の中心線を規定する第２円弧の中心位置ａ２が主アーム連結部より外周固定部の側に位置する。【選択図】  図１
2008104021.tif 000002
【特許請求の範囲】
【請求項１】
外周固定部と、コイルボビンと接合する内周可動部と、該外周固定部と該内周可動部とを連結する複数の支持アームと、を有するスピーカー用ダンパーであって、
該複数の支持アームのそれぞれが、該外周固定部と連結する外周連結部と、該内周可動部と連結する内周連結部と、該外周連結部と該内周連結部とを連結するアーム部と、を備え、
該アーム部が、一方端が該外周連結部と連結する外周側主アーム部と、一方端が該内周連結部と連結する内周側主アーム部と、該外周側主アーム部および該内周側主アーム部のそれぞれ他方端を連結する主アーム連結部と、を有し、かつ、該外周側主アーム部および該内周側主アーム部の中心線を規定する第１円弧の中心位置ａ１が該主アーム連結部より該内周可動部の側に位置し、該主アーム連結部の中心線を規定する第２円弧の中心位置ａ２が該主アーム連結部より該外周固定部の側に位置する、
スピーカー用ダンパー。
【請求項２】
前記アーム部が、前記第１円弧の半径ｒ１よりも、前記第２円弧の半径ｒ２が小さい主アーム連結部を有する、
請求項１に記載のスピーカー用ダンパー。
【請求項３】
前記主アーム連結部が前記アーム部の中央に配置され、かつ、前記外周側主アーム部および前記内周側主アーム部の長さがほぼ等しい、
請求項１または２に記載のスピーカー用ダンパー。
【請求項４】
前記外周固定部が、前記外周連結部の外径側端部との境界に形成される外周側切欠部を有し、前記内周可動部が、前記内周連結部の内径側端部との境界に形成される内周側切欠部を有する、
請求項１から３のいずれかに記載のスピーカー用ダンパー。
【請求項５】
請求項１から４のいずれかに記載のスピーカー用ダンパーを備えたスピーカー。
【発明の詳細な説明】
【技術分野】
【０００１】
本発明は、スピーカーに用いるダンパー、および、これを用いたスピーカー（代表的には動電型スピーカー）に関する。
【背景技術】
【０００２】
動電型スピーカーにおいては、磁気回路の磁気空隙に配置されたボイスコイルを、所定位置に中心保持し、かつ、良好に振動可能にするために、ダンパーが設けられる。ダンパーは、そのコンプライアンス（又はスティフネス）と、ボイスコイルならびにボイスコイルボビンおよび振動板を含む振動系の重量とにより、動電型スピーカーの低域再生限界周波数を定める最低共振周波数ｆ０を規定する。ダンパーは、その内周部がボイスコイルボビンに接合され、その外周部がフレーム又は磁気回路等に接合されて固定され、内周部と外周部とを連結する支持可動部とを備える。ダンパーの支持可動部の形状および材料などについては、様々な検討がなされている。
【０００３】
従来から、所定の厚みの金属板、もしくは、樹脂成形板を打ち抜いて形成されたダンパーが存在する。このような、いわゆる、蝶ダンパーは、外周固定部と、コイルボビンと接合する内周可動部と、外周固定部と内周可動部とを連結する複数の支持アームを有する。所定の厚みの板を選択すべき条件がある場合には、最低共振周波数ｆ０を最適に設計し、そして、ボイスコイルに加わる駆動力とボイスコイル変位との直線性を改善するために、その支持アームの形状は、様々に検討されている。このようなダンパーでは、支持アームが伸びることがないので、ボイスコイル変位の可動範囲を超えるような駆動力が加わる場合には、支持アームの応力が集中する箇所が破断してしまうという問題がある。
【０００４】
従来には、上記のような問題を、支持アームの形状、ダンパーを構成する材料、等を検討し、解決しようとするものがある。例えば、支持アームの形状を付け根よりも中央部に向けて漸近的に幅を小さくするものがある（特許文献１）。また、例えば、支持アームの断面形状をトラック形状に形成し、支持アームと内周部もしくは外周部との連結部分を曲面形状にするものがある（特許文献２）。
【０００５】
【特許文献１】実開昭５６−６８３９２号公報  （第３図）
【特許文献２】特開２００２−２６２３９２号公報  （第１図）
【０００６】
しかしながら、従来技術のスピーカー用ダンパーでは、支持アームの応力が集中する箇所が破断するのを防止するように支持アームの全体形状を変更すると、ダンパーのスティフネスが大きく変化し、これを用いたスピーカーにおいて最低共振周波数ｆ０が、変更前に比較して大きく変化してしまうという問題がある。また、支持アームが振動して大きく変位する場合には、直線性に優れないスピーカー用ダンパーでは、これらの共振周波数も大きく変化することがある。すなわち、従来技術のように支持アームの形状を単に変化させると、ダンパーでの応力の分散設計と、スピーカーでの共振周波数の最適設計を両立させるのが難しい場合がある。
【発明の開示】
【発明が解決しようとする課題】
【０００７】
本発明は、上記の従来技術が有する問題を解決するためになされたものであり、その目的は、スピーカー用ダンパーおよびこれを用いたスピーカーに関し、ダンパーでの応力の分散設計と、スピーカーでの共振周波数の最適設計を両立させて、支持アームの特定箇所に応力が集中して破断することがないダンパーを提供することにある。
【課題を解決するための手段】
【０００８】
本発明のスピーカー用ダンパーは、外周固定部と、コイルボビンと接合する内周可動部と、外周固定部と内周可動部とを連結する複数の支持アームと、を有するスピーカー用ダンパーであって、複数の支持アームのそれぞれが、外周固定部と連結する外周連結部と、内周可動部と連結する内周連結部と、外周連結部と内周連結部とを連結するアーム部と、を備え、アーム部が、一方端が外周連結部と連結する外周側主アーム部と、一方端が内周連結部と連結する内周側主アーム部と、外周側主アーム部および内周側主アーム部のそれぞれ他方端を連結する主アーム連結部と、を有し、かつ、外周側主アーム部および内周側主アーム部の中心線を規定する第１円弧の中心位置ａ１が主アーム連結部より内周可動部の側に位置し、主アーム連結部の中心線を規定する第２円弧の中心位置ａ２が主アーム連結部より外周固定部の側に位置する。
【０００９】
好ましくは、本発明のスピーカー用ダンパーは、アーム部が、第１円弧の半径ｒ１よりも、第２円弧の半径ｒ２が小さい主アーム連結部を有する。
【００１０】
さらに好ましくは、本発明のスピーカー用ダンパーは、主アーム連結部がアーム部の中央に配置され、かつ、外周側主アーム部および内周側主アーム部の長さがほぼ等しい。
【００１１】
また、好ましくは、本発明のスピーカー用ダンパーは、外周固定部が、外周連結部の外径側端部との境界に形成される外周側切欠部を有し、内周可動部が、内周連結部の内径側端部との境界に形成される内周側切欠部を有する。
【００１２】
また、さらに好ましくは、本発明のスピーカーは、上記の本発明のスピーカー用ダンパーを備えている。
【００１３】
以下、本発明の作用について説明する。
【００１４】
本発明のスピーカー用ダンパーは、概環状の外周固定部と、コイルボビンと接合する内周可動部と、外周固定部と内周可動部とを連結する複数の支持アームと、を有する。このスピーカー用ダンパーは、所定の厚みの金属板、もしくは、樹脂成形板を打ち抜いて形成されたダンパーであり、複数の支持アームのそれぞれは、外周固定部と連結してその幅が変化する外周連結部と、内周可動部と連結してその幅が変化する内周連結部と、外周連結部と内周連結部とを連結するアーム部と、を備える。なお、支持アームの「幅」とは、支持アームの中心線に直交する長さを指す。
【００１５】
ここで、支持アームのアーム部は、一方端が外周連結部と連結する外周側主アーム部と、一方端が内周連結部と連結する内周側主アーム部と、外周側主アーム部および内周側主アーム部のそれぞれ他方端を連結する主アーム連結部と、を有する。つまり、外周連結部から内周連結部に向かうにつれて、外周側主アーム部、主アーム連結部、そして、内周側主アーム部が、順番に連結して支持アームのアーム部を構成している。
【００１６】
加えて、支持アームのアーム部を構成する、外周側主アーム部および内周側主アーム部と、主アーム連結部とは、外周側主アーム部および内周側主アーム部の中心線を規定する第１円弧の中心位置ａ１が主アーム連結部より内周可動部の側に位置し、主アーム連結部の中心線を規定する第２円弧の中心位置ａ２が主アーム連結部より外周固定部の側に位置する、という関係を有する。外周連結部から内周連結部に向かうにつれて、外周側主アーム部および内周側主アーム部が、緩やかに内周側に曲がるような第１円弧を描くのに対して、主アーム連結部は、緩やかに外周側に曲がるような第２円弧を描く。したがって、主アーム連結部と、外周側主アーム部および内周側主アーム部との連結部分において、折れ曲がるように連結したアーム部が形成される。
【００１７】
スピーカー用ダンパーにおいて、支持アームを構成する外周連結部および内周連結部には応力が集中しやすく、破断しやすいので、本発明では、アーム部に応力が集中しやすい主アーム連結部を設けることにより応力を分散させることができる。主アーム連結部は、外周側主アーム部および内周側主アーム部との連結部分において折れ曲がるように連結するので、ここに応力が集まり、外周連結部および内周連結部に集中していた応力を分散させる。その結果、本発明のスピーカー用ダンパーを用いたスピーカーでは、支持アームの破断といった問題が生じにくくなる。
【００１８】
例えば、これらの連結部分における折れ曲がり具合が大きいほど連結部分に応力が集まる。したがって、アーム部が、第１円弧の半径ｒ１よりも、第２円弧の半径ｒ２が小さい主アーム連結部を有しているほど、第１円弧および第２円弧が交わる角度αが大きな角度になり、応力分散の効果が高まる。好ましくは、支持アームのアーム部は、主アーム連結部がアーム部の中央に配置され、かつ、外周側主アーム部および内周側主アーム部の長さがほぼ等しい場合がある。
【００１９】
支持アームのアーム部の中央に主アーム連結部を設けても、ダンパーのスティフネスは大きく変化しない。したがって、支持アームの全体形状を変更する従来例に比較して、ダンパーのスティフネスが大きく変化することがなく、これを用いたスピーカーにおいても最低共振周波数ｆ０が、変更前に比較して大きく変化しない。また、支持アームが振動して大きく変位する場合にも、最低共振周波数ｆ０が大きく変化せず、直線性に優れるスピーカー用ダンパーが実現される。このように本発明のスピーカー用ダンパーは、ダンパーでの応力の分散設計と、スピーカーでの共振周波数の最適設計を両立させることができる。
【００２０】
さらに、本発明のスピーカー用ダンパーは、外周固定部が、外周連結部の外径側端部との境界に形成される外周側切欠部を有し、内周可動部が、内周連結部の内径側端部との境界に形成される内周側切欠部を有する。外周側切欠部および内周側切欠部は、半径の小さな円弧状であるので、外周固定部および内周可動部と、支持アームとの連結を滑らかにする。支持アームを構成する外周連結部および内周連結部には応力が集中しやすく、外周固定部または内周可動部との境界が破断しやすいので、応力を分散させる切欠を外周固定部および内周可動部に設けることにより、破断といった問題が生じにくくなる。
【発明の効果】
【００２１】
本発明のスピーカー用ダンパーを用いたスピーカーは、ダンパーでの応力の分散設計と、スピーカーでの共振周波数の最適設計を両立させることができ、支持アームの特定箇所に応力が集中して破断しない、動作の安定したスピーカーが得られる。
【発明を実施するための最良の形態】
【００２２】
本発明のスピーカー用ダンパーは、ダンパーでの応力の分散設計と、スピーカーでの共振周波数の最適設計を両立させることができ、支持アームの特定箇所に応力が集中して破断しない、動作の安定したスピーカーを提供するという目的を、複数の支持アームのアーム部が、一方端が外周連結部と連結する外周側主アーム部と、一方端が内周連結部と連結する内周側主アーム部と、外周側主アーム部および内周側主アーム部のそれぞれ他方端を連結する主アーム連結部と、を有し、かつ、外周側主アーム部および内周側主アーム部の中心線を規定する第１円弧の中心位置ａ１が主アーム連結部より内周可動部の側に位置し、主アーム連結部の中心線を規定する第２円弧の中心位置ａ２が主アーム連結部より外周固定部の側に位置するようにすることにより、実現した。
【００２３】
以下、本発明の好ましい実施形態によるスピーカー用ダンパーおよびこれを用いたスピーカーについて説明するが、本発明はこれらの実施形態には限定されない。
【実施例１】
【００２４】
図１は、本発明の好ましい実施形態によるスピーカー用ダンパー１について説明する図であり、図１（ａ）は平面図、図１（ｂ）は支持アーム４の応力分布特性図である。ダンパー１は、円環状の外周固定部２と、円環状の内周可動部３と、外周固定部２と内周可動部３とを連結する複数の支持アーム４とを備える。
【００２５】
このスピーカー用ダンパー１は、所定の厚みの金属板、もしくは、樹脂成形板を打ち抜いて形成されるダンパーである。例えば、本実施例おいては、小型スピーカーに用いるダンパーとして、チタン銅合金（ＣｕＴ）を材料とする、厚み４５μｍの金属板をエッチングして形成している。スピーカー用ダンパー１の外周固定部２の外径は約１５．９ｍｍであり、内周可動部３の内径は約９．１ｍｍである。ダンパー１において、３本の支持アーム４のそれぞれは同一形状であり、ダンパー１の中心点から見て相互に１２０度の間隔で配置されている。
【００２６】
ダンパー１のそれぞれの支持アーム４は、外周固定部２と連結する外周連結部５と、内周可動部３と連結する内周連結部６と、外周連結部５と内周連結部６とを連結するアーム部７を備える。外周連結部５は、外周固定部２からダンパー１の内周方向に延設されて、アーム部７へ連結する部分であり、その幅（上記の通り、支持アーム４の「幅」とは、支持アーム４の中心線に直交する長さを指す。）は、アーム部７の幅よりも広く形成されることが多く、アーム部７の幅と同等の場合もある。同様に、内周連結部６は、内周可動部３からダンパー１の外周方向に延設されて、アーム部７へ連結する部分であり、多くの場合その幅は、アーム部７の幅よりも広く形成される。特に応力が集中しやすい外周連結部５と内周連結部６は、その幅は、アーム部７の幅よりも広く形成されている。なお、本実施例では、アーム部７の幅は、約０．２〜０．４ｍｍである。
【００２７】
ダンパー１の外周固定部２は、（図示しない）フレームに固着されて振動せず、また、（図示しない）ボイスコイルボビンに固着される内周可動部３もボイスコイルボビンとの相対関係においては振動しない。外周固定部２からダンパー１の内周方向に延設される外周連結部５と、内周連結部６とが、振動する支持アーム４を構成する。ダンパー１を用いた（図示しない）スピーカーの振動板が振動して、音声を再生する場合には、支持アーム４が振動し、その結果、外周連結部５、内周連結部６、および、アーム部７には応力が加わり、図１（ｂ）のような応力分布特性図として表される。
【００２８】
なお、図１（ｂ）の応力分布特性図において、応力分布はグレー色の濃淡で表されており、図１（ｂ）の右端のバー表示の上側の色の部分が、応力が大きく、下側の色の部分が、応力が小さいことを表している。また、図１（ｂ）の支持アーム４の応力分布特性図において、外周固定部２および内周可動部３は振動しないので、外周固定部２および内周可動部３上の応力分布は、外周連結部５と内周連結部６に近接する部分のみが図示されている。
【００２９】
ダンパー１のアーム部７は、一方端が外周連結部５と連結する外周側主アーム部８と、一方端が内周連結部６と連結する内周側主アーム部９と、外周側主アーム部８および内周側主アーム部９のそれぞれ他方端を連結する主アーム連結部１０と、を有し、主アーム連結部１０と、外周側主アーム部８および内周側主アーム部９との連結部分において、折れ曲がるように連結したアーム部７が形成される。主アーム連結部１０は、アーム部７のほぼ中央付近に配置され、かつ、外周側主アーム部８および内周側主アーム部９の長さがほぼ等しくなるように、アーム部７は構成されている。
【００３０】
図示するように、外周側主アーム部８および内周側主アーム部９においては、それらの中心線を規定する第１円弧Ａ１の中心位置ａ１が、主アーム連結部１０より内周可動部３の側に位置している。例えば、第１円弧Ａ１の半径ｒ１は、約６．４ｍｍである。したがって、支持アーム４は、外周連結部５から内周連結部６に向かうにつれて、外周側主アーム部８および内周側主アーム部９が、緩やかに内周側に曲がるようなアーム形状を構成する。
【００３１】
また、一方で、主アーム連結部１０においては、その中心線を規定する第２円弧Ａ２の中心位置ａ２が、主アーム連結部１０より外周固定部２の側に位置している。例えば、第２円弧Ａ２の半径ｒ２は、約３．０ｍｍであり、第１円弧Ａ１の半径ｒ１よりも小さい値である。したがって、支持アーム４は、主アーム連結部１０において、緩やかに外周側に曲がるようなアーム形状を構成し、主アーム連結部１０と、外周側主アーム部８および内周側主アーム部９との連結部分において、折れ曲がるように連結したアーム部７が形成される。例えば、これらの連結部分における折れ曲がり具合を規定する第１円弧Ａ１および第２円弧Ａ２が交わる角度α１は、本実施例では、約３０度である。アーム部７に設けられる主アーム連結部１０は、後述するように、外周連結部５と内周連結部６の一部に集中しやすい応力を分散させる。
【００３２】
外周固定部２には、外周側切欠部１１が外周連結部５の外径側端部との境界に形成される。同様に、内周可動部３には、内周側切欠部１２が内周連結部６の内径側端部との境界に形成される。外周側切欠部１１ならびに内周側切欠部１２は、支持アーム４の付根部分といえるところに、半径ｒ３の小さな円弧によって形成した溝状の切れ込みである。本実施例では、半径ｒ３は、約０．１ｍｍである。後述するように、支持アーム４を構成する外周連結部５および内周連結部６には応力が集中しやすいので、外周側切欠部１１ならびに内周側切欠部１２は、応力を分散させる効果がある。
【実施例２】
【００３３】
図２は、本発明の他の好ましい実施形態によるスピーカー用ダンパー２１について説明する図であり、図２（ａ）は平面図、図２（ｂ）は支持アーム４の応力分布特性図である。本実施例のダンパー２１は、先の実施例のダンパー１と、主アーム連結部１０の中心線を規定する第２円弧Ａ２の半径ｒ２が約１．５ｍｍであり、先の実施例のダンパー１よりもさらに小さい値である点を除いて共通する。したがって、共通する外周固定部２と、内周可動部３と、複数の支持アーム４と、外周連結部５と、内周連結部６およびアーム部７、そして、外周側切欠部１１ならびに内周側切欠部１２については、共通の番号を付して説明を省略する。
【００３４】
図２のダンパー２１においては、主アーム連結部１０の中心線を規定する第２円弧Ａ２の半径ｒ２がさらに小さい値であるので、支持アーム４では、主アーム連結部１０と、外周側主アーム部８および内周側主アーム部９との連結部分において、急激に折れ曲がるように連結したアーム部７が形成される。例えば、これらの連結部分における折れ曲がり具合を規定する第１円弧Ａ１および第２円弧Ａ２が交わる角度α２は、本実施例では、約４５度であり、先の実施例のダンパー１の場合の角度α１よりも大きく、より直角（９０度）に近づく値である。アーム部７に設けられる主アーム連結部１０は、後述するように、外周連結部５と内周連結部６の一部に集中しやすい応力を分散させる。
【００３５】
図３は、比較例としてのスピーカー用ダンパー３１について説明する図であり、図３（ａ）は平面図、図３（ｂ）は支持アーム４の応力分布特性図である。比較例のダンパー３１は、先の実施例のダンパー１およびダンパー２１に対して、アーム部７が、主アーム連結部１０を有しない点を除いて共通するスピーカー用ダンパーである。共通する部分については、共通の番号を付して説明を省略する。
【００３６】
また、図４は、第二の比較例としてのスピーカー用ダンパー３２について説明する図であり、図４（ａ）は平面図、図４（ｂ）は支持アーム４の応力分布特性図である。第二の比較例のダンパー３２は、比較例のダンパー３１に対して主アーム連結部１０を有しない点で共通し、外周側切欠部１１ならびに内周側切欠部１２を有しない点で相違する、スピーカー用ダンパーである。実施例もしくは比較例と共通する部分については、共通の番号を付して説明を省略する。
【００３７】
実施例および比較例のスピーカー用ダンパー１、２１、および、３１、３２の支持アーム４の応力分布特性図を比較検討する。これらの応力分布特性図は、実施例および比較例のスピーカー用ダンパーの内周可動部３に（紙面上から下向き方向へ）０．６５グラム重［ｇｆ］の荷重を印加した時の応力分布の様子を示したものである。比較例のスピーカー用ダンパーでは、応力分布の最大値が見られる個所は、ほぼ共通して支持アーム４の付け根にあたる外周連結部５ならびに内周連結部６である。また、それぞれのダンパーを用いた（図示しない）スピーカーの振動系の共振周波数ｆ０についても比較検討する。
【００３８】
例えば、図４（ｂ）に示す第二比較例のスピーカー用ダンパー３２では、応力分布の最大値は約８１．０［ＭＰａ］であり、比較例のスピーカー用ダンパー３２の形状では応力が外周連結部５ならびに内周連結部６に集中してしまい、この部分がスピーカーとしてこのダンパー３２を使用した場合に破断しやすいことを表している。これに対し、図３（ｂ）に示す比較例のスピーカー用ダンパー３１では、支持アーム４の付根部分といえるところに、外周側切欠部１１ならびに内周側切欠部１２を設けており、支持アーム４を構成する外周連結部５および内周連結部６に集中しやすい応力を分散させ、アーム部７の中央側へと広く分散させている。このとき、応力分布の最大値は約５９．９［ＭＰａ］まで低下し、第二比較例のスピーカー用ダンパー３２よりも破断しにくくなっている。
【００３９】
一方、図１（ｂ）に示す本実施例のスピーカー用ダンパー１では、支持アーム４は、主アーム連結部１０と、外周側主アーム部８および内周側主アーム部９との連結部分において、折れ曲がるように連結したアーム部７を有する。応力は、折れ曲がったところに集中しようとするので、主アーム連結部１０は、外周連結部５ならびに内周連結部６への応力集中を分散させる効果を発揮する。その結果、外周連結部５ならびに内周連結部６に集中していた応力は、アーム部７の中央側へと広く分散する。このとき、応力分布の最大値は約５９．９［ＭＰａ］であり、比較例のスピーカー用ダンパー３１の場合と変化がないが、第二比較例のスピーカー用ダンパー３２の場合より低くなっており、かつ、最大値を示す範囲が拡大しているので、支持アーム４を構成する外周連結部５および内周連結部６は、さらに破断しにくくになっている。
【００４０】
さらに、図２（ｂ）に示す他の実施例のスピーカー用ダンパー２１も、支持アーム４は、主アーム連結部１０と、外周側主アーム部８および内周側主アーム部９との連結部分において、折れ曲がるように連結したアーム部７を有する。その結果、スピーカー用ダンパー１と同様に外周連結部５ならびに内周連結部６に集中する応力を、アーム部７の中央側へと広く分散させている。このとき、応力分布の最大値は約５９．９［ＭＰａ］であり、本実施例のスピーカー用ダンパー１ならびに比較例のスピーカー用ダンパー３１の場合と変化がないが、応力をアーム部７の中央側へとさらに広く分散させて、外周連結部５および内周連結部６が破断しにくいダンパー２１を実現している。
【００４１】
【表１】
2008104021.tif 000003
【００４２】
スピーカー用ダンパーでは、支持アームの振動の変位が小さい場合にも、支持アームが振動して大きく変位する場合にも、最低共振周波数ｆ０が大きく変化しない、つまり、直線性に優れるスピーカー用ダンパーが好ましい。表１は、スピーカー用ダンパーの直線性を比較する表である。（１）支持アームの振動の変位が小さい場合である荷重０．００［ｇｆ］時の動作点（変位約０．０ｍｍ）における最低共振周波数ｆ０に対して、（２）支持アームの振動の変位が大きい場合である荷重０．６５［ｇｆ］時の動作点（変位約０．６ｍｍ）における最低共振周波数ｆ０の変化率（（２）／（１））を示している。
【００４３】
動作点の違いにより、比較例のスピーカー用ダンパー３１の場合には、最低共振周波数ｆ０が約４．５１％上昇するのを基準にすると、本実施例のスピーカー用ダンパー１を用いた場合の最低共振周波数ｆ０の変化率は、約３．２９％に抑えることができる。また、より急激に折れ曲がるように連結したアーム部７を有する他の実施例のスピーカー用ダンパー２１を用いた場合の最低共振周波数ｆ０の変化率は、約２．８３％に抑えることができている。このように、折れ曲がるように連結したアーム部７を構成することにより、応力分布の集中を緩和することができ、さらに、従来よりも直線性（リニアリティ）のよいスピーカー用ダンパー１が実現される。
【００４４】
本発明のスピーカー用ダンパーは、上記実施例に限定されず、樹脂成形板を金型で打ち抜いて形成される蝶ダンパーであってもよい。また、支持アームのそれぞれは、同一形状である場合に限られず、支持アームは２本以上であれば、４本でもよく、スピーカー用ダンパーを規定する中心軸から見て対称に配置されていてもよい。
【００４５】
なお、スピーカー用ダンパーの材質および大きさも、本実施例に限定されるものではない。支持アーム４の本数や形状は、そのダンパーを用いるスピーカーの磁気回路や振動板の構成によって、外周固定部２および内周可動部３の形状ならびに位置関係が変わってくるので、様々な設計が可能である。
【産業上の利用可能性】
【００４６】
本発明のスピーカー用ダンパーは、家庭用のステレオ再生、もしくはマルチチャンネルサラウンド再生に用いられるスピーカーに限られず、携帯用電子機器や、車載用のオーディオ機器に使用されるスピーカーにも適用が可能である。
【図面の簡単な説明】
【００４７】
【図１】本発明の好ましい実施形態によるスピーカー用ダンパー１について説明する図である。
【図２】本発明の他の好ましい実施形態によるスピーカー用ダンパー２１について説明する図である。（実施例２）
【図３】比較例のスピーカー用ダンパー３１について説明する図である。
【図４】第二比較例のスピーカー用ダンパー３２について説明する図である。
【符号の説明】
【００４８】
１、２１      スピーカー用ダンパー
２            外周固定部
３            内周可動部
４            支持アーム
５            外周連結部
６            内周連結部
７            アーム部
８            外周側主アーム部
９            内周側主アーム部
１０          主アーム連結部
１１          外周側切欠部
１２          内周側切欠部
３１、３２    スピーカー用ダンパー
【図１】
2008104021.tif 000004
【図２】
2008104021.tif 000005
【図３】
2008104021.tif 000006
【図４】
2008104021.tif 000007